(57)【要約】【課題】投票者が在宅のまま行う電子投票と投票所に赴いて行う電子投票や投票用紙投票を併用可能な在宅・投票所複合投票方法を提供することにある。【解決手段】投票者システム２は投票者に在宅投票を提供する在宅投票過程を含み、投票所システム３は次回以降の在宅投票に利用する投票者システム２の投票者システム識別情報１０２または投票者の個人認証情報を取得する過程を含むことを特徴とする。【選択図】図１
2014127203.tif 000002
【特許請求の範囲】
【請求項１】
投票者システム（２）は、投票者に在宅投票を提供する在宅投票過程を含み、
投票所システム（３）は、投票所において、次回以降の前記在宅投票に利用する前記投票者システム（２）の識別情報（１０２）または前記投票者の個人認証情報を取得する過程を含むことを特徴とする在宅・投票所複合投票方法。
【請求項２】
投票者に在宅投票を提供する在宅投票手段を備える投票者システム（２）と、
投票所において、次回以降の前記在宅投票に利用する前記投票者システム（２）の識別情報（１０２）または前記投票者の個人認証情報を取得する手段を備える投票所システム（３）を備える在宅・投票所複合投票システムに用いた前記投票者システム（２）としてコンピュータを機能させるための制御プログラム。
【請求項３】
投票者に在宅投票を提供する在宅投票手段を備える投票者システム（２）と、
投票所において、次回以降の前記在宅投票に利用する前記投票者システム（２）の識別情報（１０２）または前記投票者の個人認証情報を取得する手段を備える投票所システム（３）を備える在宅・投票所複合投票システムに用いたことを特徴とする投票所システム（３）。
【請求項４】
コンピュータを、請求項３に記載の投票所システム（３）として機能させるための制御プログラム。
【発明の詳細な説明】
【技術分野】
【０００１】
本発明は在宅・投票所複合投票方法に関する。
【背景技術】
【０００２】
従来、電子投票システムが知られる。例えば、特許第４９３７７７７号公報に記載の技術は、選挙の立候補者および投票者の選挙データを蓄積したサーバと、該サーバにネットワークを介して接続しマウスを操作して投票する電子投票機とで構成される電子投票システムにおいて、投票者の手の静脈画像をサーバに登録する静脈画像登録手段と、マウスに載せられた手の静脈画像を検出する静脈センサと、静脈センサが読み取った静脈画像がサーバに登録された静脈画像と一致するか否かを判別する認証手段とを備え、電子投票機は、投票者がマウスから手を離した場合に、投票動作を停止させ、手を離した状態が所定時間継続された場合に、未投票の状態とする。
【先行技術文献】
【特許文献】
【０００３】
【特許文献１】特許第４９３７７７７号公報
【発明の概要】
【発明が解決しようとする課題】
【０００４】
ところで、上記従来の電子投票システムは、投票者が在宅のまま行う電子投票と投票所に赴いて行う電子投票や投票用紙投票を併用可能な在宅・投票所複合投票方法に到っていないと言った問題があった。
【０００５】
そこで、本発明の目的は、投票者が在宅のまま行う電子投票と投票所に赴いて行う電子投票や投票用紙投票を併用可能な在宅・投票所複合投票方法を提供することにある。
【課題を解決するための手段】
【０００６】
上記課題を解決するため本発明の在宅・投票所複合投票方法において、投票者システム（２）は、投票者に在宅投票を提供する在宅投票過程を含み、投票所システム（３）は、次回以降の前記在宅投票に利用する前記投票者システム（２）の識別情報（１０２）または前記投票者の個人認証情報を取得する過程を含むことを特徴とする。
【発明の効果】
【０００７】
本発明によれば、在宅・投票所複合投票方法は、投票者が在宅のまま行う電子投票と投票所に赴いて行う電子投票や投票用紙投票を併用することができる。
【図面の簡単な説明】
【０００８】
【図１】実施形態の在宅・投票所複合投票システムの構成図である。
【発明を実施するための形態】
【０００９】
以下、本発明の実施の一形態について詳細に説明する。
【００１０】
図１は実施形態の在宅・投票所複合投票システムの構成図である。
例えば、在宅・投票所複合投票システムは、投票者が選挙の投票を行なう選挙投票システムを構成するとともに、インターネット１０などのネットワークシステムに接続された投票管理システム１、投票者システム２および投票所システム３から構成されることを特徴とする。投票者システム２と投票所システム３は、ネットワークシステムに複数接続されている。
【００１１】
投票管理システム１、投票者システム２、投票所システム３、後述する住民票管理システムなどは、ＣＰＵ、ＲＯＭ、ＲＡＭ、通信部、記憶装置、入出力部などを有するコンピュータ部を備える。投票管理システム１の入出力部は、印刷装置を含む。投票所システム３の入出力部は、投票者が投票に使用する投票用紙を配給する投票用紙配給装置を含む。投票者システム２と投票所システム３の入出力部は、後述する投票者識別情報１０１を読取る読取部を含む。投票管理システム１の記憶装置は、後述する投票者データベース１０３を記憶する。投票者システム２としては、選挙人である投票者の携帯電話を利用することが望ましい。そして、携帯電話の電話番号などの投票者システム識別情報１０２が、自治体の住民票管理システムの住民票データベースに登録されているものとする。
【００１２】
在宅・投票所複合投票システムの処理の例を説明する。
投票管理システム１は、住民票データベースから各投票者の情報を抽出し、各投票者を識別する投票者識別情報１０１を生成し、投票者識別情報１０１を含み投票者システム識別情報１０２を含む該情報でなる投票者データベース１０３を作成するとともに、ＱＲコード（登録商標）などで表現された投票者識別情報１０１を備え、各投票者に配る投票受付票１００を印刷する。
【００１３】
在宅投票を行なう投票者が利用する投票者システム２は、投票管理システム１から投票アプリケーション・プログラムをダウンロードし、それを自己のＣＰＵで実行して、投票受付票１００の投票者識別情報１０１を読取り、自己の投票者システム識別情報１０２を取得するとともに、投票する候補者情報を投票者に選ばせ、投票者識別情報１０１、投票者システム識別情報１０２および候補者情報を投票管理システム１に送信する。投票者識別情報１０１、投票者システム識別情報１０２および候補者情報を受信した投票管理システム１は、投票者識別情報１０１と投票者システム識別情報１０２のペアが一致する情報を投票者データベース１０３の中から求め、該情報の中に候補者情報を登録する。
【００１４】
投票用紙を用いて投票を行なう投票所の投票所システム３は、投票所に赴いた投票者の投票受付票１００の投票者識別情報１０１を読み取り、投票者の投票者システム２から近距離通信などにより投票者システム識別情報１０２を取得し、投票者識別情報１０１と投票者システム識別情報１０２を投票管理システム１に送信する。投票者識別情報１０１と投票者システム識別情報１０２を受信した投票管理システム１は、投票者識別情報１０１が一致する情報を投票者データベース１０３の中から求め、該情報の中に既に登録されている投票者システム識別情報１０２と候補者情報を削除するとともに（候補者情報の削除は、投票者の在宅投票の取下げに相当する）、該情報の中に受信した投票者システム識別情報１０２を登録し、投票所システム３に投票用紙の配給許可（投票者の確認が終了したことを意味する）を送信する。投票用紙の配給許可を受信した投票所システム３の投票用紙配給装置は、投票用紙を配給する。そして、投票者は投票用紙を用いた投票を行なう。
【００１５】
電子投票を行なう投票所の投票所システム３は、投票所に赴いた投票者の投票受付票１００の投票者識別情報１０１を読み取り、投票者の投票者システム２から投票者システム識別情報１０２を取得し、投票者に投票する候補者情報を選ばせるとともに、投票者識別情報１０１、投票者システム識別情報１０２および候補者情報を投票管理システム１に送信する。投票者識別情報１０１、投票者システム識別情報１０２および候補者情報を受信した投票管理システム１は、投票者識別情報１０１が一致する情報を投票者データベース１０３の中から求め、該情報の中に既に登録されている投票者システム識別情報１０２と候補者情報を削除するとともに（候補者情報の削除は、投票者の在宅投票の取下げに相当する）、該情報の中に受信した投票者システム識別情報１０２と候補者情報を登録する。
【００１６】
投票が締め切られた後の投票管理システム１は、投票者データベース１０３の各候補者情報から投票結果を集計するとともに、投票者データベース１０３の各投票者システム識別情報１０２を住民票データベースに反映させる。以降、投票管理システム１で求めた投票結果に投票用紙から集計された投票結果が合算されて投票結果が確定することとなる。
【００１７】
上記実施形態において、投票所は各投票者から投票受付票１００を回収することとなる。投票者データベース１０３への投票者システム識別情報１０２の登録の有無は、投票者が任意に選択可能とする。そして、登録された投票者システム識別情報１０２は、次回以降の投票（選挙）に利用されることとなる。住民票管理システムは、投票者システム識別情報１０２を住民票データベースに直接登録する構成を備えてもよい。
【００１８】
在宅・投票所複合投票システムは、投票アプリケーション・プログラムの替りに投票ウェブページなどを用いる構成としてもよい。また、投票受付票１００を印刷する替りに投票者識別情報１０１を電子メールなどで投票者システム２に送信する構成としてもよい。また、投票者識別情報１０１を投票者システム２などのディスプレイにＱＲコード（登録商標）などとして表示させ、投票所システム３に読み取らせる構成としてもよい。また、投票者システム識別情報１０２の替りに電子証明書、住民基本台帳カード、生体認証、パスワード認証などを用いた投票者の個人認証手段を採用してもよい。また、投票者データベース１０３に登録されている投票者システム識別情報１０２を投票者自身が確認できるように投票受付票１００に印刷する構成としてもよい。また、投票者の在宅投票と投票所投票の遂行を夫々１回に限定する構成とすると、他人が投票者システム２を利用した成り済ましの在宅投票を行なった場合でも、投票者が投票所に赴くことで、成り済まし投票を無効にすることができる。また、投票者に対し投票所投票後の在宅投票を認めない構成が望ましい。
【００１９】
上記実施形態によれば、在宅・投票所複合投票システムは、投票者が在宅のまま行う電子投票と投票所に赴いて行う電子投票や投票用紙投票を併用することができる。
【００２０】
以上の説明においては、通信制御プログラムを含む各種制御プログラムが、予めＲＯＭに格納されている場合について説明したが、制御プログラムを、コンピュータ部で読取可能な記憶媒体に記録するようにしてもよい。このような構成であれば、コンピュータ部によってプログラムが記憶媒体から読み取られ、読み取られたプログラムに従ってコンピュータ部が処理を実行すると、上記実施形態の各システムと同等の作用および効果が得られる。
【００２１】
ここで、記憶媒体とは、ＲＡＭ、ＲＯＭ等の半導体記憶媒体、ＦＤ、ＨＤＤ等の磁気記憶型記憶媒体、ＣＤ、ＤＶＤ、ＢＤ等の光学的読取方式記憶媒体、ＭＯ等の磁気記憶型／光学的読取方式記憶媒体であって、電子的、磁気的、光学的等の読み取り方法のいかんにかかわらず、コンピュータ部で読み取り可能な記憶媒体であれば、どのような記憶媒体であってもよい。
【００２２】
また、インターネット、ＬＡＮ等のネットワークシステムを介して制御プログラムをダウンロードし、インストールして実行するように構成することも可能である。
【符号の説明】
【００２３】
１…投票管理システム，２…投票者システム，３…投票所システム，１０…インターネット，１００…投票受付票，１０１…投票者識別情報，１０２…投票者システム識別情報，１０３…投票者データベース
【図１】
2014127203.tif 000003
【手続補正書】
【提出日】平成26年4月1日(2014.4.1)
【手続補正１】
【補正対象書類名】特許請求の範囲
【補正対象項目名】全文
【補正方法】変更
【補正の内容】
【特許請求の範囲】
【請求項１】
二つのシステム（２、３）を用い、
システムの一方（２）は、投票者に第１投票手段を提供し、
システムの他方（３）は、前記投票者に第２投票手段または第３投票手段を提供する投票所において、次回以降の前記第１投票手段に利用する前記システムの一方（２）の識別情報（１０２）または前記投票者の個人認証情報を取得することを特徴とする在宅・投票所複合投票方法。
【請求項２】
請求項１に記載の在宅・投票所複合投票方法を実現させるために用いたことを特徴とするいずれかのシステム（２、３）。
【請求項３】
コンピュータを、請求項２に記載のいずれかのシステム（２、３）として機能させるための制御プログラム。
【手続補正２】
【補正対象書類名】明細書
【補正対象項目名】０００６
【補正方法】変更
【補正の内容】
【０００６】
上記課題を解決するため本発明の在宅・投票所複合投票方法は、二つのシステム（２、３）を用い、システムの一方（２）は、投票者に第１投票手段を提供し、システムの他方（３）は、前記投票者に第２投票手段または第３投票手段を提供する投票所において、次回以降の前記第１投票手段に利用する前記システムの一方（２）の識別情報（１０２）または前記投票者の個人認証情報を取得することを特徴とする。